(57)【特許請求の範囲】
【請求項１】
商品の販売価格の百桁目を表示する第１の７セグメントディスプレイと十桁目を表示する第２の７セグメントディスプレイと一桁目を表示する第３の７セグメントディスプレイとを備えた価格表示部と、
前記第１の７セグメントディスプレイ、第２の７セグメントディスプレイ、第３の７セグメントディスプレイを制御する表示制御部と、を有する自動販売機において、
当該自動販売機が所定の状態にあるときに、
表示制御部が第１の７セグメントディスプレイ、第２の７セグメントディスプレイ、第３の７セグメントディスプレイを制御して価格表示部に人の顔をイメージさせる顔表示を行わせるとともに、当該顔表示を所定の制御により変化させることを特徴とする自動販売機。
【請求項２】
暖色系の液晶表示器の表示により商品が加温状態であることを示す第１商品状態表示部と、寒色系の液晶表示器の表示により商品が冷却状態であることを示す第２商品状態表示部と、を価格表示部の近傍に備え、
自動販売機が所定の状態にあるときに、第１商品状態表示部及び第２商品状態表示部の表示が前記価格表示部の顔表示とともに変化することを特徴とする請求項１記載の自動販売機。
【請求項３】
自動販売機の商品見本毎に前記価格表示部を有するとともに、
前記価格表示部が表示、非表示を切り替え可能な円貨記号表示部をさらに備え、
自動販売機が所定の管理状態にあるときに、
前記円貨記号表示部が非表示になるとともに、前記価格表示部の第１の７セグメントディスプレイ、第２の７セグメントディスプレイ、第３の７セグメントディスプレイが前記自動販売機のコラムの状態を表す略式表示を行うことを特徴とする請求項１又は請求項２記載の自動販売機。
【発明の詳細な説明】
【技術分野】
【０００１】
本発明は、商品の販売価格等を表示する表示部を用いて消費者の注意を引くことが可能な自動販売機に関するものである。
【背景技術】
【０００２】
現在、缶、ビン、ＰＥＴボトル入り飲料、タバコ、その他物品を販売する自動販売機が多数設置されている。このような自動販売機では、商品の売り上げの増加を図る一つの手段として、自動販売機にイルミネーションを取り付けたり定期的に音声を発するなどして消費者の注意を引く機能を備えたものが存在する。ここで、下記［特許文献１］には、商品選択ボタンに内蔵された販売可能ランプや売切れランプを任意のパターンで点灯・消灯したり、販売価格を表示する価格表示部に文字や記号等を表示して消費者の注意を引くことが可能な自動販売機に関する発明が開示されている。
【０００３】
また、今日では自動販売機の設置台数も増加傾向にあり、管理者による自動販売機への補充管理作業の効率化が求められている。
【先行技術文献】
【特許文献】
【０００４】
【特許文献１】特開平１０−１４９４８２号公報
【発明の概要】
【発明が解決しようとする課題】
【０００５】
しかしながら、［特許文献１］に開示された発明では、価格表示部が表示するものは文字や記号であるため、消費者に無機質な感じを与えるとともに面白味に欠けるものであった。また、［特許文献１］で表示される文字や記号は、消費者に向けて行われるものであり、管理者の補充管理作業の効率化になんら関与するものではない。
【０００６】
本発明は上記事情に鑑みて成されたものであり、商品の販売価格を表示する価格表示部等を利用して、より一層消費者の注意を引くことが可能な自動販売機を提供することを目的とする。また、これに加え管理時には管理者の補充管理作業の効率化を図ることが可能な自動販売機を提供することを目的とする。
【課題を解決するための手段】
【０００７】
本発明は、
（１）商品の販売価格の百桁目を表示する第１の７セグメントディスプレイ２１と十桁目を表示する第２の７セグメントディスプレイ２２と一桁目を表示する第３の７セグメントディスプレイ２３とを備えた価格表示部３４と、前記第１の７セグメントディスプレイ２１、第２の７セグメントディスプレイ２２、第３の７セグメントディスプレイ２３を制御する表示制御部７２と、を有する自動販売機において、
当該自動販売機が所定の状態にあるときに、表示制御部７２が第１の７セグメントディスプレイ２１、第２の７セグメントディスプレイ２２、第３の７セグメントディスプレイ２３を制御して価格表示部３４に人の顔をイメージさせる顔表示を行わせるとともに、当該顔表示を所定の制御により変化させることを特徴とする自動販売機８０を提供することにより、上記課題を解決する。
（２）暖色系の液晶表示器の表示により商品が加温状態であることを示す第１商品状態表示部３６ａと、寒色系の液晶表示器の表示により商品が冷却状態であることを示す第２商品状態表示部３６ｂと、を価格表示部３４の近傍に備え、
自動販売機８０が所定の状態にあるときに、第１商品状態表示部３６ａ及び第２商品状態表示部３６ｂの表示が前記価格表示部３４の顔表示とともに変化することを特徴とする上記（１）記載の自動販売機８０を提供することにより、上記課題を解決する。
（３）自動販売機８０の商品見本１０毎に前記価格表示部３４を有するとともに、
前記価格表示部３４が表示、非表示を切り替え可能な円貨記号表示部２４をさらに備え、自動販売機８０が所定の管理状態にあるときに、
前記円貨記号表示部２４が非表示になるとともに、前記価格表示部３４の第１の７セグメントディスプレイ２１、第２の７セグメントディスプレイ２２、第３の７セグメントディスプレイ２３が前記自動販売機８０のコラムの状態を表す略式表示を行うことを特徴とする上記（１）又は（２）記載の自動販売機８０を提供することにより、上記課題を解決する。
【発明の効果】
【０００８】
本発明に係る自動販売機は、
（１）商品の販売価格を表示する価格表示部に人の顔をイメージさせる顔表示を表示させ、さらにこの顔表示を所定の制御で変化させることで、消費者の注意をより一層自動販売機に向けることができる。また、顔表示に加えて商品の温度状態を表示する商品状態表示部をイルミネーション表示をさせることで、消費者の注意をさらに自動販売機に向けることができる。
（２）さらに、所定の管理状態時には価格表示部が自動販売機のコラムの状態を表示するため、管理者は自動販売機の各コラムの状態を短時間で把握可能となり、補充管理作業の効率化を図ることができる。
【図面の簡単な説明】
【０００９】
【図１】本発明に係る自動販売機の外観図である。
【図２】本発明に係る自動販売機の表示部を説明する図である。
【図３】本発明に係る顔表示の例を示す図である。
【図４】本発明に係る顔表示のアニメーション表示の例を示す図である。
【発明を実施するための形態】
【００１０】
本発明に係る自動販売機の実施の形態について図面に基づいて説明する。尚、ここでは飲料用の自動販売機を例に説明を行うが、本発明は特に飲料用のものに限定されるわけではなく、タバコその他の自動販売機にも適用が可能である。また、以下の説明では本願に直接関係の無い構成及び動作に関しては一部図示及び説明を省略する。
【００１１】
図１に示す、本発明に係る自動販売機８０は、前面が開口した本体キャビネット２０と、当該本体キャビネット２０の開口部に例えばヒンジ２２等により開閉可能に設置された扉部３０とを有している。
【００１２】
本体キャビネット２０内には、商品を所定の本数収容可能な複数のコラム（図示せず）と、コラムに収容された商品をコラム毎もしくはブロック毎に所望の温度に加温もしくは冷却する温度制御ユニット（図示せず）と、コラムに収容された商品が完売したことを検知する完売検知部（図示せず）とが設けられている。
【００１３】
扉部３０には、前面が透明なガラスもしくはプラスチックで構成され内部を目視可能なディスプレイ室１２と、各コラムと対応する商品選択ボタン１４と、商品購入者が投入する貨幣の処理を行う貨幣処理部４９と、つり銭もしくは投入硬貨を排出する返却口５４と、購入された商品を搬出する商品取出し口１６と、扉部３０を施錠する鍵部３２とを有している。
【００１４】
商品選択ボタン１４内には、商品選択ボタン１４と対応する商品が販売可能であることを示す販売可能ランプと、対応する商品が売切れであることを示す売切れランプと、を備えた販売可否表示部１５が設置されている。
【００１５】
ディスプレイ室１２内には、コラムに収容された商品と対応する商品見本１０と、それぞれの商品見本１０の近傍に設置され対応するコラムの商品の販売価格を表示する価格表示部３４と、対応する商品の温度状態を表示する商品状態表示部３６とが設置されている。そして、価格表示部３４と商品状態表示部３６とが表示部３５を構成する。
【００１６】
自動販売機８０の貨幣処理部４９は、商品購入者が紙幣を投入する紙幣投入部５０と、商品購入者が硬貨を投入する硬貨投入部５１と、投入した貨幣（紙幣及び硬貨）を返却するときに用いる返却レバ５３と、投入した貨幣の種別及び真贋を判別するとともに投入金額を算出する貨幣検査部（図示せず）と、算出された投入金額を表示する投入金額表示部５２とを有している。
【００１７】
次に、表示部３５の概略構成を図２を用いて説明する。表示部３５は、図２（ａ）に示すように、商品の販売価格を表示する価格表示部３４と、商品の温度状態を表示する商品状態表示部３６とで主に構成されている。そして、価格表示部３４は販売価格の百桁目を表示する第１の７セグメントディスプレイ２１と、十桁目を表示する第２の７セグメントディスプレイ２２と、一桁目を表示する第３の７セグメントディスプレイ２３とで主に構成されている。尚、価格表示部３４の第１の７セグメントディスプレイ２１の左側には“￥”記号を表示するとともに、表示、非表示を切り替え可能な円貨記号表示部２４を設けても良い。尚、円貨記号表示部２４は、第３の７セグメントディスプレイ２３の右側に“円”記号を表示するものでも良い。
【００１８】
また、表示部３５の商品状態表示部３６は、商品が加温状態であることを示す第１商品状態表示部３６ａと冷却状態であることを示す第２商品状態表示部３６ｂとで主に構成されている。
【００１９】
表示部３５は基板１上に設置され、表示制御部７２は基板１を介して表示部３５の価格表示部３４及び商品状態表示部３６の表示を制御する。尚、通常、基板１には複数の表示部３５が設置されユニット化されている。そして、価格表示部３４、商品状態表示部３６に液晶が使用されている場合、表示部３５はバックライトとしてのレーザダイオード、発光ダイオード等の発光部５と、当該発光部５の光を価格表示部３４、商品状態表示部３６側に導く透光性プラスチック等の導光板３と、を備えている。
【００２０】
上記の第１、第２、第３の７セグメントディスプレイ２１、２２、２３は、周知のＬＥＤ方式、ランプ方式、液晶方式の７セグメントディスプレイが用いられる。中でも省消費、省スペースの観点から液晶方式の７セグメントディスプレイの使用が特に好ましい。また、円貨記号表示部２４も第１、第２、第３の７セグメントディスプレイ２１、２２、２３と同様、周知のＬＥＤ方式、ランプ方式、液晶方式の採用が可能であり、中でも液晶方式の使用が好ましい。
【００２１】
第１商品状態表示部３６ａは暖色系の液晶表示器が用いられ、例えば加温状態を示す“あったかーい”等の文字が他色の文字（例えば白色文字）となるように形成される。従って、第１商品状態表示部３６ａの液晶表示器に所定の電圧が印加すると、図２（ｂ）に示すように“あったかーい”の文字以外の領域が暖色（例えば赤色）に変化し、“あったかーい”の文字が他色の文字となって判別可能となる。また、液晶表示器への印加電圧がオフすると液晶表示器は透光状態となって“あったかーい”の文字は判別不能となる。
【００２２】
また第２商品状態表示部３６ｂは寒色系の液晶表示器が用いられ、例えば冷却状態を示す“つめたーい”等の文字が他色の文字となるように形成される。従って、第２商品状態表示部３６ｂの液晶表示器に所定の電圧が印加すると、図２（ｃ）に示すように“つめたーい”の文字以外の領域が寒色（例えば青色）に変化し、“つめたーい”の文字が他色の文字となって判別可能となる。また、液晶表示器への印加電圧がオフすると液晶表示器は透光状態となって“つめたーい”の文字は判別不能となる。
【００２３】
次に、価格表示部３４が行う顔表示の例を図３に示す。尚、価格表示部３４が行う顔表示は基本的に、向って左側に位置する百桁目の第１の７セグメントディスプレイ２１が顔表示における右目及び右頬を表示し、中央に位置する十桁目の第２の７セグメントディスプレイ２２が顔表示における口を表示し、向って右側に位置する一桁目の第３の７セグメントディスプレイ２３が顔表示における左目及び左頬を表示する。ここで、図３（ａ）、（ｄ）〜（ｉ）は、目及び口の形状を変えた基本的な顔表示の例である。図３（ｂ）、（ｃ）は、斜め前を向く顔表示の例である。図３（ｊ）は、頬を描写した顔表示の例である。図３（ｋ）は、頬を描写し特に年配の人をイメージする顔表示の例である。このように、３つの７セグメントディスプレイのみで、多種多様な顔表示を行うことができる。
【００２４】
次に、本発明に係る自動販売機８０の動作を説明する。先ず、管理者が本体キャビネット２０を開ける。本体キャビネット２０が開けられると自動販売機８０を制御する図示しない主制御部がこれを感知して、自動販売機８０を管理状態とする。自動販売機８０が管理状態になると表示制御部７２が円貨記号表示部２４の表示をオフして非表示とする。またこのとき主制御部は表示制御部７２を制御して、主制御部が自動販売機８０の各部から取得した自動販売機８０のコラムの状態を価格表示部３４の第１、第２、第３の７セグメントディスプレイ２１、２２、２３に略式表示させる。
【００２５】
コラムの状態を示す略式表示の例としては、例えば異常の発生しているコラムが存在していれば、異常の発生しているコラムと対応する価格表示部３４の第１の７セグメントディスプレイ２１に異常の発生を意味する“Ｅ”の文字を表示し、第２、第３の７セグメントディスプレイ２２、２３にコラムＮｏを示す例えば“０５”等の数字を表示する。よってこのとき、価格表示部３４は“Ｅ０５”と表示する。また、例えば補充が必要なコラムが存在している場合、補充が必要なコラムと対応する価格表示部３４の第１の７セグメントディスプレイ２１に要補充を意味する“Ｓ”の文字を表示し、第２、第３の７セグメントディスプレイ２２、２３にはコラムＮｏもしくは必要補充数量を示す数字を表示する。またこの場合、コラムＮｏと必要補充数量を交互に表示するようにしても良い。例えば、Ｎｏ１２のコラムの必要補充数量が８である場合、コラムＮｏ１２を意味する“Ｃ１２”と必要補充数量が８を意味する“Ｓ０８”とを交互に表示するようにしても良い。
【００２６】
また、コラムの状態を示す略式表示は必ずしもコラムと価格表示部３４とを対応させなくとも良い。例えば、上記の異常発生の場合、最左端の価格表示部３４に異常を表す“Ｅ‐‐”を表示して、それに続く価格表示部３４に異常のコラムＮｏを表す“Ｃ０２”、”Ｃ１３”、“Ｃ２１”等を表示するようにしても良い。また、例えば、上記の要補充の場合、最左端の価格表示部３４に補充が必要であることを示す“ＳＵＰ”を表示して、それに続く価格表示部３４に実際に補充が必要なコラムＮｏを表す“Ｃ０５”、”Ｃ１２”、“Ｃ３１”等を表示するようにしても良い。
【００２７】
尚、上記の略式表示は一例であり、７セグメントディスプレイで表示可能なアルファベット、記号、数字を適宜組み合わせてどのように作成しても良い。７セグメントディスプレイで表示可能な略式表示の例としては、温度を示す“２６ｃ”（２６℃）、省エネルギーモードを示す“Ｅｃｏ”の他、“ＨＩ”（Ｈｉｇｈ）、“Ｌｏ”（Ｌｏｗ）、“ＦＵＬ”（Ｆｕｌｌ）等がある。
【００２８】
管理者は上記の価格表示部３４の略式表示を視認して、それに応じた補充管理作業を行う。また、必要であれば、自動販売機８０の主制御部に各コラムの商品の販売価格と販売温度を設定もしくは変更する。このように、管理者は価格表示部３４の略式表示を確認して、即座に補充管理作業が必要なコラムのＮｏを把握することができるため、補充管理作業の効率化と管理者への負担の軽減を図ることができる。
【００２９】
管理者が補充管理作業を終了し、本体キャビネット２０を閉じると、主制御部がこれを感知して自動販売機８０を販売待機状態とする。このとき、表示制御部７２は円貨記号表示部２４の表示をオンして表示状態とする。また、主制御部は温度制御ユニットを制御して、各コラムの商品を販売温度の設定に応じた所望の温度に冷却もしくは加温する。
【００３０】
また、自動販売機８０が販売待機状態となると、表示制御部７２が第１、第２、第３の７セグメントディスプレイ２１、２２、２３を制御して価格表示部３４にこれと対応するコラムの商品の価格を表示させる。また、商品状態表示部３６にこれと対応するコラムの商品の温度状態を表示させる。さらに、表示制御部７２は価格表示部３４に所定の時間間隔で間欠的に図３の例に示した顔表示を行わせる。尚、価格表示部３４及び商品状態表示部３６による顔表示及び後述のイルミネーション表示は、価格表示部３４及び商品状態表示部３６による通常表示（商品の価格表示及び商品の温度状態表示）と交互に行うものとするが、あくまで通常表示をメインとし顔表示及びイルミネーション表示は（販売待機状態での）表示時間の５０％以下、特に２０％〜４０％程度とすることが好ましい。
【００３１】
また、表示制御部７２は上記の顔表示を所定の制御で変化させる。所定の制御による顔表示の変化は図３に示した顔表示のうちいくつかを選択してランダムもしくは所定の順序で一定の時間間隔、ランダム間隔、予め設定されたパターン間隔で表示させても良いし、図４の例に示すように、一連の顔表示を連続して行わせ簡易的なアニメーション表示としても良い。ここで、図４（ａ）の例は、口を開閉する顔表示を連続させ会話をイメージさせるアニメーション表示である。また、図４（ｂ）の例は、ウインクをイメージさせるアニメーション表示である。これ以外のアニメーション表示の例としては、図３（ｂ）、図３（ｃ）の顔表示を用いて、周囲を見回すようなアニメーション表示、図３（ｂ）、図３（ｃ）の顔表示を隣接する表示部３５に対称に表示させ、隣接する顔表示同士が会話するようなアニメーション表示、等が挙げられる。
【００３２】
尚、顔表示は個々の表示部３５で別々なものを表示しても良いし、全て同じでも、列単位や表示ユニット単位で変えても良い。さらに、顔表示は商品カテゴリごとに変えても良い。例えば、緑茶等の飲料商品と対応する表示部３５では図３（ｋ）の年配者をイメージさせる顔表示を行い、炭酸飲料と対応する表示部３５では爽快感をイメージさせる図３（ｉ）の顔表示を行うようにしても良い。また、照度センサを備えた自動販売機８０であれば、昼夜で表示内容を変化させても良いし、自動販売機８０が計時部を備えていれば、時間（出勤時間帯、正午、３時、退社時間帯、深夜等）やカレンダー機能を用いて季節等で表示内容を変化させても良い。
【００３３】
また、上記の顔表示とともに第１商品状態表示部３６ａ及び第２商品状態表示部３６ｂの表示を変化させてイルミネーション表示を行わせても良い。ここで、商品状態表示部３６のイルミネーション表示の例を示す。イルミネーション表示例１として、先ずディスプレイ室１２の左上の表示部３５の第１商品状態表示部３６ａの“あったかーい”を点灯する。次に、同表示部３５の第２商品状態表示部３６ｂの“つめたーい”を点灯する。この表示動作を右方向の表示部３５に移動しながら順次行う。そして、右上の表示部３５まで終了したら、下段の左端の表示部３５から横方向に順に同様の表示を行う。そして、最後の右下の表示部３５まで終了したら、全ての商品状態表示部３６を消灯した後、最初から繰り返す。
【００３４】
また、イルミネーション表示例２として、先ず、全ての段の左端の表示部３５の第１商品状態表示部３６ａの“あったかーい”を点灯する。次に、第１商品状態表示部３６ａを消灯して同表示部３５の第２商品状態表示部３６ｂの“つめたーい”を点灯する。次に、第２商品状態表示部３６ｂを消灯する。この表示動作を右方向の表示部３５に移動しながら順次行う。そして、右端の表示部３５まで終了したら、これらの表示動作を最初から繰り返す。
【００３５】
尚、上記のイルミネーション表示は一例であり、イルミネーション表示はどのような表示パターンで行っても良い。
【００３６】
次に、自動販売機８０の販売待機状態時に、商品購入者が紙幣投入部５０もしくは硬貨投入部５１に貨幣（紙幣もしくは硬貨）を投入したり、商品選択ボタン１４等を押下したりすると、自動販売機８０は販売待機状態から販売状態に移行する。自動販売機８０が販売状態に移行すると、通常表示、顔表示に関わらず、表示制御部７２は表示部３５を制御して通常表示とする。即ち、価格表示部３４にこれと対応する商品の販売価格を表示させ、また商品状態表示部３６の第１商品状態表示部３６ａ及び第２商品状態表示部３６ｂの表示、非表示を切り換えて対応する商品の温度状態を表示させる。
【００３７】
次に、商品購入者は価格表示部３４に表示された販売価格を確認し、必要な金額の貨幣を投入する。貨幣処理部４９に貨幣が投入されると、貨幣検査部が投入された貨幣の種別を判別して投入金額を算出する。そして、貨幣処理部４９は貨幣検査部が算出した投入金額を投入金額表示部５２に表示させるとともに、投入金額を主制御部に出力する。尚、貨幣検査部が投入された貨幣の種別を判別できない場合、貨幣検査部は投入された貨幣を使用できない貨幣もしくは贋物と判断し、紙幣投入部５０もしくは返却口５４から排出、返却する。
【００３８】
主制御部は貨幣処理部４９からの投入金額を受けて、投入金額で購入可能な商品と対応する販売可否表示部１５の販売可能ランプを点灯させる。商品購入者は販売可否表示部１５の販売可能ランプを視認して、所望の商品と対応する商品選択ボタン１４を押下する。主制御部は商品選択ボタン１４の押下を検知すると、搬出制御部（図示せず）を制御して対応するコラムの商品を商品取出し口１６に搬出する。また、貨幣処理部４９はつり銭がある場合に所定のつり銭を返却口５４から排出する。これにより、商品の販売が行われる。そして、この商品の販売個数がコラムの状態の情報の一つとして主制御部に記録され、その後、自動販売機８０は再度、販売待機状態に移行する。
【００３９】
尚、販売待機状態から販売状態に移行する際もしくは販売状態から販売待機状態に移行する際等に、所定のパターンの顔表示もしくは顔表示とイルミネーション表示とを行わせても良い。また、このとき「いらっしゃいませ」、「ありがとうございました」等の音声を出力可能とし、この音声のタイミングに合う様に図４（ａ）に示す口を開閉する顔表示を行わせ、あたかも顔表示がこの音声を発話しているように表示しても良い。
【００４０】
以上のように、本発明に係る自動販売機８０によれば、商品の販売価格を表示する価格表示部３４に人の顔をイメージさせる顔表示を表示させるとともにこの顔表示を所定の制御で変化させる。このため、消費者はこの顔表示に親近感を抱き、単なる記号や文字を表示するよりも消費者の注意をより一層自動販売機に向けることができる。また、この顔表示に加えて、商品状態表示部３６を所定のパターンでイルミネーション表示することで、消費者の注意をさらに自動販売機に向けることができる。
【００４１】
そして、これらの顔表示、イルミネーション表示は、自動販売機に標準的に装備されている価格表示部３４、商品状態表示部３６を利用して行うため、特別な表示装置が必要なく部品コストを増大させることも無い。
【００４２】
また、本発明に係る自動販売機８０によれば、自動販売機８０が所定の管理状態になった場合に、価格表示部３４に自動販売機８０のコラムの状態を略式表示する。このため、管理者はこの略式表示を確認して、即座に補充管理作業が必要なコラムのＮｏを把握することができる。これにより、補充管理作業の効率化と管理者の状態把握に対する負担の軽減を図ることができる。
【００４３】
尚、本例の顔表示は価格表示部３４に加え投入金額表示部５２に表示させても良い。また、上記の自動販売機８０は本発明に係る自動販売機の好適な一例であるから、自動販売機８０の各部の形状、構成及び動作等は、本発明の要旨を逸脱しない範囲で変更して実施することが可能である。
【符号の説明】
【００４４】
１０    商品見本
２１    第１の７セグメントディスプレイ
２２    第２の７セグメントディスプレイ
２３    第３の７セグメントディスプレイ
２４    円貨記号表示部
３４    価格表示部
３６ａ  第１商品状態表示部
３６ｂ  第２商品状態表示部
７２    表示制御部
８０    自動販売機
【図１】
0005406647.tif 000002
【図２】
0005406647.tif 000003
【図３】
0005406647.tif 000004
【図４】
0005406647.tif 000005